(57)【要約】【課題】接続したデータ端末装置ＤＴＥに対しＵＡＲＴを介してＰＨＳ網とデータ通信させるデータ通信機が、該ＤＴＥの既設ドライバソフトを用い、データ通信中に該ＤＴＥとの間でステータスや制御コマンドの送受を可能にする。【解決手段】ＤＴＥの一例のパソコン２０とＰＣＭＣＩＡインタフェース１を介して接続し、ＵＡＲＴ２ａからＣＰＵ３ａに取り込んだデータを無線部３ｂにより送信する、逆に、無線部３ｂで受信しＣＰＵ３ａからＵＡＲＴ２ａに送出したデータをＰＣＭＣＩＡインタフェース１を介してパソコン２０に送信するデータ通信中にあるか否かにより、パソコン２０とＣＰＵ３ａとの双方からアクセス可能で、相手側にそれぞれのステータス又は制御コマンドを通知し合うことが可能なステータスレジスタ２ｂの蓄積内容を異ならせ、例えば、データ通信中の状態にある場合、１６５５０互換ＵＡＲＴ規約と異なるステータス又は制御コマンドの表示とする。【選択図】        図１
2004159008.tif 000002
【特許請求の範囲】
【請求項１】
データ端末装置ＤＴＥ（Ｄａｔａ  Ｔｅｒｍｉｎａｌ  Ｅｑｕｉｐｍｅｎｔ）とＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ    Ａｓｓｏｃｉａｔｉｏｎ）インタフェースを介して接続し、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）からＣＰＵに取り込んだデータをＰＨＳ（Ｐｅｒｓｏｎａｌ  Ｈａｎｄｙ−ｐｈｏｎｅ    Ｓｙｓｔｅｍ）インタフェースにより送信したり、あるいは、逆に、該ＰＨＳインタフェースにより受信したデータを前記ＣＰＵから前記ＵＡＲＴに送出し、前記ＰＣＭＣＩＡインタフェースを介して前記データ端末装置ＤＴＥに送信したりして、ＰＨＳ網経由のデータ通信を行なうデータ通信機において、前記データ通信端末ＤＴＥと前記ＣＰＵとの双方からアクセス可能であり、かつ、前記データ端末装置ＤＴＥと当該データ通信機との双方の複数種類のステータス又は制御コマンドをそれぞれ表示することにより互いに相手側に通知し合うことが可能なステータスレジスタを備え、該ステータスレジスタのいずれか１乃至複数種類の前記ステータス又は制御コマンドを示す蓄積内容として、前記ＰＨＳインタフェースにより前記ＵＡＲＴがデータ通信中の状態にあるか否かにより、異なるステータス又は制御コマンドの表示を前記データ端末装置ＤＴＥ又は前記ＣＰＵに対して行なうことを特徴とするデータ通信機。
【請求項２】
請求項１に記載のデータ通信機において、前記ステータスレジスタの前記蓄積内容として、前記ＰＨＳインタフェースにより前記ＵＡＲＴがデータ通信中の状態にない場合は、１６５５０互換ＵＡＲＴ規約として通常定義されているステータス又は制御コマンドの表示とし、データ通信中の状態にある場合には、１６５５０互換ＵＡＲＴ規約として通常定義されていない任意のステータス又は制御コマンドの表示に切り換えて用いることを特徴とするデータ通信機。
【請求項３】
請求項２に記載のデータ通信機において、前記ステータスレジスタとして、前記ＰＨＳインタフェースからの前記データ端末装置ＤＴＥに対する着信表示を前記データ端末装置ＤＴＥに対して行なう被呼表示信号用レジスタを用い、該被呼表示信号用レジスタの前記蓄積内容として、前記ＰＨＳインタフェースにより前記ＵＡＲＴがデータ通信中の状態にない場合には、前記ＰＨＳインタフェースからの着信表示を行なう被呼表示用ステータス表示とする一方、データ通信中の状態にある場合には、当該データ通信機の前記ＰＨＳインタフェースにより送受信するＰＨＳ用アンテナの電波信号の電界強度をステータス表示することを特徴とするデータ通信機。
【請求項４】
請求項１乃至３のいずれかに記載のデータ通信機において、当該データ通信機と接続する前記データ端末装置ＤＴＥが、パーソナルコンピュータ又は携帯情報端末ＰＤＡ又は携帯電話を含む各種電子機器からなっていることを特徴とするデータ通信機。
【発明の詳細な説明】
【０００１】
【発明の属する技術分野】
本発明は、データ通信機に関し、特に、データ端末装置ＤＴＥ（Ｄａｔａ  Ｔｅｒｍｉｎａｌ  Ｅｑｕｉｐｍｅｎｔ）例えばパーソナルコンピュータ（以下、パソコンと略記する）に接続し、該パソコンがＰＨＳ（Ｐｅｒｓｏｎａｌ  Ｈａｎｄｙ−ｐｈｏｎｅ  Ｓｙｓｔｅｍ）インタフェース経由でデータ通信を行なうデータ通信機に関する。例えば、データ端末装置ＤＴＥの一つであるパソコンに備えられたカードスロットに装着可能なＰＨＳ一体型通信カードからなるデータ通信機に関する。
【０００２】
【従来の技術】
従来の技術によれば、データ端末装置ＤＴＥ例えばパソコンとＰＣＭＣＩＡインタフェースを介して接続し、ＵＡＲＴ（１６５５０互換）部を介してＣＰＵに取り込んだデータを、ＰＨＳ用無線部を用いて、ＰＨＳ用アンテナを介して送受信するような例えばＰＨＳ一体型通信カードのごとき形態のデータ通信機においては、該データ通信機側のＣＰＵとパソコンとの間の通信経路としては、通常、ＵＡＲＴ部のみである。従って、例えば、ＰＨＳ一体型通信カードのごとき形態のデータ通信機の該ＵＡＲＴ部を経由したパソコンとのデータ通信中において、パソコンとデータ通信機側のＣＰＵとの間で、制御コマンドやステータス情報のやり取りをする通信を行なうことはできなく、制御コマンドやステータス情報のやり取りを行ないたい場合には、パソコンのＵＡＲＴ部を介したＰＨＳインタフェースによるデータ通信を一旦停止することが必要であった。
【０００３】
また、例えば、図２や図３に示すように、パソコンのＵＡＲＴ部を介したＰＨＳインタフェースによるデータ通信中において、該データ通信を中断させることなく、ＵＡＲＴ部に設けられているアトリビュートメモリと電界強度ポートとを用いてあるいはスクラッチパッドメモリを用いて、パソコンとデータ通信機側のＣＰＵとの間の通信を行なう技術も開発されている（特許文献１，２を参照のこと）。
【０００４】
図２は、アトリビュートメモリと電界強度ポートとをＵＡＲＴ部に備えている無線カードの従来技術を示すブロック構成図である。図２において、パソコンに装着して使用する形態のデータ通信機を構成する無線カード１０′は、ＣＰＵ３ａの制御に基づいて、ＰＣＭＣＩＡインタフェース１を介してパソコンとの間でデータを送受信することができ、送受信したデータは、ＵＡＲＴ部２′のＵＡＲＴ２ａ及び通信制御ブロック３ｃを介して、無線部３ｂからアンテナ４′との間で送受信することを可能としている。更に、ＵＡＲＴ部２′には、通常の通信制御用のステータスをパソコンとの間で読み書きするアトリビュートメモリ２ｃの他に、アンテナ４′の受信レベルをパソコン側に表示するための電界強度ポート２ｄも備えられており、データ通信中の状態にあっても、電界強度ポート２ｄの内容をパソコンから読み取ることを可能としている。
【０００５】
また、図３は、制御用情報を格納するスクラッチパッドメモリをＵＡＲＴ部に備えているデータ通信機の従来技術を示すブロック構成図である。図３において、パソコンに装着するカード形式のデータ通信機１０″は、ＰＨＳ部３″内のＣＰＵ３ａの制御に基づいて、ＰＣＭＣＩＡインタフェース１を介してパソコンとの間でデータを送受信することができ、送受信したデータは、ＵＡＲＴ部２″のＵＡＲＴ２ａ及びＣＰＵ３ａを介して、無線部３ｂからＰＨＳ用アンテナ４″との間で送受信することを可能としている。更に、ＵＡＲＴ部２″には、通信制御用の各種ステータスをパソコンとの間で読み書きすることを可能とするスクラッチパッドメモリ２ｅを備えており、データ通信中の状態においても、パソコンとの間で各種の制御用ステータスを送受信することを可能とし、例えば、データ通信機１０″のＰＨＳ用アンテナ４″の電界強度即ち受信レベルをパソコンに通知することも可能である。
【０００６】
しかしながら、かかるアトリビュートメモリ２ｃ及び電界強度ポート２ｄを併用したりあるいはスクラッチパッドメモリ２ｅを新たに用いる方法は、パソコン側に例えば電界強度ポート２ｄに対応可能なアプリケーションソフトを新たに開発することが必要となるし、また、パソコン側の既設のＯＳ（Ｏｐｅｒａｔｉｎｇ    Ｓｙｓｔｅｍ）によっては、全く使用できない場合が存在してしまう。
【０００７】
また、パソコンとデータ通信機（又は無線カード）側のＣＰＵとの双方からアクセス可能な別メモリ（又はレジスタ）を新設したとしても、パソコンＯＳに備えられている１６５５０互換の既設ＵＡＲＴドライバソフトのままではアクセスすることができず、新設された別メモリ（又はレジスタ）にアクセスすることができるように、専用のドライバソフトを開発することが必要になってしまい、製造コストの上昇を余儀なくされてしまう。
【０００８】
【特許文献１】
特開平０９−１６７１２５号公報（第２頁、図２）
【特許文献２】
特開２００２−１８３０６９号公報（第３−４頁、図１）
【０００９】
【発明が解決しようとする課題】
前述のように、従来の技術によれば、データ端末装置ＤＴＥ例えばパソコンによるデータ通信機（例えば、データ端末装置ＤＴＥの一つであるパソコンなどのカードスロットに装着して用いるＰＨＳ一体型通信カードの形態からなるデータ通信機）を利用したデータ通信においては、データ通信中に制御コマンドやステータス情報をパソコンと該データ通信機側のＣＰＵとの間でやり取りするためには、一旦データ通信を停止する必要があった。あるいは、データ通信中に制御コマンドやステータス情報をやり取りするための専用のレジスタを新規に設け、パソコンＯＳとして、かかる新設レジスタへのアクセスを可能とする専用のドライバソフトを開発する必要があった。
【００１０】
本発明は、かかる実情に鑑みてなされたものであり、データ端末装置ＤＴＥ例えばパソコンによるデータ通信機（例えば、データ端末装置ＤＴＥの一つであるパソコンなどのカードスロットに装着して用いるＰＨＳ一体型通信カードの形態からなるデータ通信機）を利用したデータ通信中であっても、データ端末装置ＤＴＥ例えばパソコンのＯＳに備えられている既設のＵＡＲＴ（１６５５０互換）ドライバソフトをそのまま使用しても、パソコンと該データ通信機側のＣＰＵとの間で制御コマンドやステータス情報のやり取りを行なうことを可能にせんとすることを目的とする。
【００１１】
【課題を解決するための手段】
第１の発明は、データ端末装置ＤＴＥ（Ｄａｔａ  Ｔｅｒｍｉｎａｌ  Ｅｑｕｉｐｍｅｎｔ）とＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ    Ａｓｓｏｃｉａｔｉｏｎ）インタフェースを介して接続し、ＵＡＲＴ（Ｕｎｉｖｅｒｓａｌ    Ａｓｙｎｃｈｒｏｎｏｕｓ    Ｒｅｃｅｉｖｅｒ    Ｔｒａｎｓｍｉｔｔｅｒ）からＣＰＵに取り込んだデータをＰＨＳ（Ｐｅｒｓｏｎａｌ  Ｈａｎｄｙ−ｐｈｏｎｅ    Ｓｙｓｔｅｍ）インタフェースにより送信したり、あるいは、逆に、該ＰＨＳインタフェースにより受信したデータを前記ＣＰＵから前記ＵＡＲＴに送出し、前記ＰＣＭＣＩＡインタフェースを介して前記データ端末装置ＤＴＥに送信したりして、ＰＨＳ網経由のデータ通信を行なうデータ通信機において、前記データ通信端末ＤＴＥと前記ＣＰＵとの双方からアクセス可能であり、かつ、前記データ端末装置ＤＴＥと当該データ通信機との双方の複数種類のステータス又は制御コマンドをそれぞれ表示することにより互いに相手側に通知し合うことが可能なステータスレジスタを備え、該ステータスレジスタのいずれか１乃至複数種類の前記ステータス又は制御コマンドを示す蓄積内容として、前記ＰＨＳインタフェースにより前記ＵＡＲＴがデータ通信中の状態にあるか否かにより、異なるステータス又は制御コマンドの表示を前記データ端末装置ＤＴＥ又は前記ＣＰＵに対して行なうデータ通信機とすることを特徴とするものである。
【００１２】
第２の発明は、前記第１の発明に記載のデータ通信機において、前記ステータスレジスタの前記蓄積内容として、前記ＰＨＳインタフェースにより前記ＵＡＲＴがデータ通信中の状態にない場合は、１６５５０互換ＵＡＲＴ規約として通常定義されているステータス又は制御コマンドの表示とし、データ通信中の状態にある場合には、１６５５０互換ＵＡＲＴ規約として通常定義されていない任意のステータス又は制御コマンドの表示に切り換えて用いるデータ通信機とすることを特徴とするものである。
【００１３】
第３の発明は、前記第２の発明に記載のデータ通信機において、前記ステータスレジスタとして、前記ＰＨＳインタフェースからの前記データ端末装置ＤＴＥに対する着信表示を前記データ端末装置ＤＴＥに対して行なう被呼表示信号用レジスタを用い、該被呼表示信号用レジスタの前記蓄積内容として、前記ＰＨＳインタフェースにより前記ＵＡＲＴがデータ通信中の状態にない場合には、前記ＰＨＳインタフェースからの着信表示を行なう被呼表示用ステータス表示とする一方、データ通信中の状態にある場合には、当該データ通信機の前記ＰＨＳインタフェースにより送受信するＰＨＳ用アンテナの電波信号の電界強度をステータス表示するデータ通信機とすることを特徴とするものである。
【００１４】
第４の発明は、前記第１乃至第３の発明のいずれかに記載のデータ通信機において、当該データ通信機と接続する前記データ端末装置ＤＴＥが、パーソナルコンピュータ又は携帯情報端末ＰＤＡ又は携帯電話を含む各種電子機器からなっているデータ通信機とすることを特徴とするものである。
【００１５】
【発明の実施の形態】
以下に、本発明に係るデータ通信機の実施形態の一例について、図面を参照しながら説明する。図１は、本発明に係るデータ通信機（例えば、データ端末装置ＤＴＥの一つであるパソコンなどのカードスロットに装着して用いるＰＨＳ一体型通信カードの形態からなるデータ通信機）の構成の一例を示すブロック構成図である。図１に示すように、本発明に係るデータ通信機１０は、データ端末装置ＤＴＥ（Ｄａｔａ  Ｔｅｒｍｉｎａｌ  Ｅｑｕｉｐｍｅｎｔ）の一例を示すパソコン２０との間をＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ    Ａｓｓｏｃｉａｔｉｏｎ）インタフェース１を介して接続し、ＵＡＲＴ部２（例えば、１６５５０互換ＵＡＲＴ部）内のＵＡＲＴ（Ｕｎｉｖｅｒｓａｌ    Ａｓｙｎｃｈｒｏｎｏｕｓ    Ｒｅｃｅｉｖｅｒ    Ｔｒａｎｓｍｉｔｔｅｒ）２ａによりパソコン２０から送信されてくるデータをパラレル信号からシリアル信号に変換して、ＰＨＳ（Ｐｅｒｓｏｎａｌ  Ｈａｎｄｙ−ｐｈｏｎｅ    Ｓｙｓｔｅｍ）部３内に設けられて、当該データ通信機１０内の各回路部を制御するＣＰＵ３ａに転送し、更に、無線部３ｂにおいてＰＨＳ用無線信号に変換されて、ＰＨＳ用アンテナ４から電波信号として送信されるように構成されている。
【００１６】
逆に、ＰＨＳ用アンテナ４から受信する場合は、逆の経路を経て、即ち、ＰＨＳ部３内の無線部３ｂを介してＣＰＵ３ａに送信され、ＵＡＲＴ部２内のＵＡＲＴ２ａによりシリアル信号からパラレル信号に変換されてＰＣＭＣＩＡインタフェース１を介してパソコン２０側へと送信される。
【００１７】
また、データを送受信するに当たって、データ通信機１０側とパソコン２０側とのステータスや制御コマンドを双方に通知し合うために、パソコン２０側からもＰＣＭＣＩＡインタフェース１を介して読み取り・書き込みが可能なステータスレジスタ２ｂがＵＡＲＴ部２内に備えられており、パソコン２０側は、読み取ったステータスレジスタ２ｂの内容により、該データ通信機１０のＰＨＳインタフェースからのパソコン２０への着信状態を検知したり、逆に、パソコン２０からステータスレジスタ２ｂに発信要求を書き込むことにより、データ通信機１０側のＣＰＵ３ａはパソコン２０の発信要求を検知することができる。
【００１８】
即ち、データ通信機１０には、ＵＡＲＴ部２（例えば、１６５５０互換ＵＡＲＴ部）が備えられており、該データ通信機１０に接続しているデータ端末装置ＤＴＥの一例であるパソコン２０と、当該データ通信機１０側のＣＰＵ３ａと、の間のＵＡＲＴ部２（例えば、１６５５０互換ＵＡＲＴ部）におけるデータ送受信経路としては、通常のデータを送受信するための経路であるＵＡＲＴ２ａを介したデータ経路（α）と、データ通信機１０側又はパソコン２０側のステータスや制御コマンドを互いに通知し合うためのステータスレジスタ２ｂを介したデータ経路（β）との２つが存在している。
【００１９】
かかる２つのデータ送受信経路のうち、ステータスレジスタ２ｂを介したデータ経路（β）においては、前述のごとく、通常、データ通信機１０側の各種のステータスや制御コマンドを通知するために、以下の信号情報が、データ通信機１０からデータ端末装置ＤＴＥのパソコン２０に対して通知される。
【００２０】
即ち、
（１）データセットレディ信号（ＤＳＲ信号：Ｄａｔａ  Ｓｅｔ    Ｒｅａｄｙ）：データ通信が可能になっていることを通知する信号
（２）送信レディ信号（ＣＴＳ信号：Ｃｌｅａｒ    Ｔｏ    Ｓｅｎｄ）：送信要求信号（ＲＴＳ：Ｒｅｑｕｅｓｔ    Ｔｏ    Ｓｅｎｄ）とペアで使用することにより、データの送受信量のフロー制御を行なうための信号
（３）受信データ信号（ＲｘＤ信号：Ｒｅｃｅｉｖｅ    Ｄａｔａ）：データ通信機１０からのバイトデータをデータ端末装置ＤＴＥのパソコン２０が受信することを示す信号
（４）キャリア検出信号（ＣＤ信号：Ｃａｒｒｉｅｒ    Ｄｅｔｅｃｔ）：モデム即ち本データ通信機１０が通信相手側と接続されていることを通知する信号
（５）被呼表示信号（ＲＩ信号：Ｒｉｎｇ  Ｉｎｄｉｃａｔｏｒ）：電話の着信音が鳴動している状態を示す信号即ちＰＨＳ網からの着信を通知する信号
【００２１】
しかしながら、前述の各信号のうち、いくつかは、データ通信の開始・終了時には必要となるものの、データ通信中の状態に移行している間においては、必ずしも必要としないものも含まれている。
【００２２】
例えば、ＰＨＳ一体型データ通信カードのごとく、パソコン２０に備えられたカードスロットに装着して、ＰＣＭＣＩＡインタフェース１を介してパソコン２０と接続するデータ通信機１０においては、データ通信中にある場合に、更に着信を認めることはあり得ないものであり、新たな着信（被呼）があることを示すＲＩ信号を、データ通信中の状態においては、被呼表示信号とは別の用途に使用することが可能である。
ここで、一例として、図１に示すように、パソコン２０上において、データ通信機１０を介してＰＨＳ無線回線を利用したテレビ電話を実施するためのアプリケーションソフトである「テレビ電話アプリケーションソフト」が起動されている場合に、データ通信機１０の無線部３ｂが検出しているＰＨＳ用アンテナ４の電波受信レベルをパソコン２０側のモニタ画面に画面表示する表示方法について説明する。
【００２３】
テレビ電話で通信中のテレビ電話に関する映像情報及び音声情報は、図１に示したデータ通信機１０中のデータ経路（α）を占有して送受信されており、該データ経路（α）上に、ＰＨＳ用アンテナ４の電波受信レベルを重畳させてパソコン２０側に送信することはできない。即ち、パソコン２０側の「テレビ電話アプリケーションソフト」によるテレビ電話の通信中においては、データ通信機１０のＣＰＵ３ａは、無線部３ｂが検知したＰＨＳ用アンテナ４の電波受信レベルを表示するためのアンテナ情報を、データ経路（αββ）を用いてパソコン２０側に送信することは不可能である。
【００２４】
そこで、本発明に係るデータ通信機１０においては、データ経路（β）として、ステータスレジスタ２ｂを介してステータスや制御コマンドの伝達が行なわれる複数種類の信号のうち、データ通信中においては使用されることがない１乃至複数種類の信号、例えば、被呼表示信号ＲＩ信号を、ＰＨＳ用アンテナ４の電波受信レベルをパソコン２０側に通知するための信号として利用することを可能としている。
【００２５】
即ち、ＲＩ信号は、通常、データ通信機１０（例えば、データ端末装置ＤＴＥの一つであるパソコン２０などのカードスロットに装着して用いるＰＨＳ一体型通信カードの形態からなるデータ通信機）に着信があったことを示す信号として用いられるものであるが、前述の例のごとく、例えば、パソコン２０側の「テレビ電話アプリケーションソフト」によるテレビ電話の通信中の状態にあり、ＵＡＲＴ部２のＵＡＲＴ２ａが通信中の状態にある場合には、更なる着信があることはデータ通信機１０としてはあり得ない状態であるので、パソコン２０側の「テレビ電話アプリケーションソフト」とデータ通信機１０との間で、テレビ電話の通信中の状態にある限り、ＲＩ信号として被呼表示（着信表示）を更に通知せんとすることは生起しない。
【００２６】
従って、パソコン２０側の「テレビ電話アプリケーションソフト」によるテレビ電話の通信中の状態にある場合には、パソコン２０側の「テレビ電話アプリケーションソフト」とデータ通信機１０との間で、ＲＩ信号を被呼表示とは異なる用途として用いることとして、例えば、ＰＨＳ用アンテナ４の電波信号の電界強度即ち受信レベルを表示するためのステータス情報をパソコン２０側に伝達するということを予め取り決めることとし、データ経路（β）を用いて、ＰＨＳ用アンテナ４の電波信号の受信レベルに関する情報を、例えばＰＨＳ一体型データ通信カードのごときデータ通信機１０からデータ端末装置ＤＴＥの一例であるパソコン２０へ送信することを可能とする。
【００２７】
具体的に、予め取り決める一例を示すと次の通りである。ステータスレジスタ２ｂにおけるＲＩ信号用（被呼表示信号用）のステータスレジスタ部は１ビットの信号であり、ＯＮ／ＯＦＦのいずれかの情報しか表示することができないが、データ通信中の状態にある場合に、該ＲＩ信号用のステータスレジスタ部のビット位置を、ＰＨＳ部３のＣＰＵ３ａの制御により例えば１秒間に１０回の頻度でＯＮ／ＯＦＦを繰り返させた場合には、ＰＨＳ用アンテナ４の電波信号の電界強度即ち受信レベルが十分であることを示す「アンテナ＋受信レベルバー３本」の表示を画面表示することとし、また、１秒間に５回の頻度でＯＮ／ＯＦＦを繰り返させた場合には、ＰＨＳ用アンテナ４の電波信号の電界強度即ち受信レベルが中程度の程々の状態にあることを示す「アンテナ＋受信レベルバー２本」の表示を画面表示することとする。もって、データ端末装置ＤＴＥの一例であるパソコン２０のＯＳに備えられている既設のＵＡＲＴ（１６５５０互換）ドライバソフトをそのまま使用したとしても、該パソコン２０のアプリケーションソフトに対して、データ通信中の状態における当該データ通信機１０のＰＨＳ用アンテナ４において送受信されている電波信号の電界強度を認識させることができる。
【００２８】
即ち、データ通信端末ＤＴＥの一例であるパソコン２０とＣＰＵ３ａとの双方からアクセス可能であり、かつ、前記データ端末装置ＤＴＥの一例であるパソコン２０と当該データ通信機１０との双方の複数種類のステータス又は制御コマンドをそれぞれ表示することにより互いに相手側に通知し合うことが可能なステータスレジスタ２ｂを備え、ステータスレジスタ２ｂのいずれか１乃至複数種類の前記ステータス又は制御コマンドを示す蓄積内容として、無線部３ｂを介した前記ＰＨＳインタフェースによりＵＡＲＴ２ａがデータ通信中の状態にあるか否かにより、異なるステータス又は制御コマンドの表示をデータ端末装置ＤＴＥの一例であるパソコン２０又はＣＰＵ３ａに対して行なうことを可能としている。
【００２９】
更に、ステータスレジスタ２ｂの前記蓄積内容として、無線部３ｂを介したＰＨＳインタフェースによりＵＡＲＴ２ａがデータ通信中の状態にない場合は、１６５５０互換ＵＡＲＴ規約として通常定義されているステータス又は制御コマンドの表示とし、データ通信中の状態にある場合には、１６５５０互換ＵＡＲＴ規約として通常定義されていない任意のステータス又は制御コマンドの表示に切り換えて用いることを可能とする。もって、無線部３ｂを介したＰＨＳインタフェースによりＵＡＲＴ２ａがデータ通信中の状態にある場合においても、データ端末装置ＤＴＥ例えばパソコン２０のＯＳに備えられている既設のＵＡＲＴ（１６５５０互換）ドライバソフトをそのまま使用して、該パソコン２０と当該データ通信機１０側のＣＰＵ３ａとの間で制御コマンドやステータス情報のやり取りを行なうことを可能としている。
【００３０】
更に、ステータスレジスタ２ｂとして、無線部３ｂを介した前記ＰＨＳインタフェースからのデータ端末装置ＤＴＥの一例であるパソコン２０に対する着信表示を該パソコン２０に対して行なう被呼表示信号用ステータスレジスタ部を用い、該被呼表示信号用レジスタ部の蓄積内容として、無線部３ｂを介した前記ＰＨＳインタフェースによりＵＡＲＴ２ａがデータ通信中の状態にない場合には、無線部３ｂを介した前記ＰＨＳインタフェースからの着信表示を行なう被呼表示用ステータス表示とする一方、データ通信中の状態にある場合には、当該データ通信機１０の無線部３ｂを介したＰＨＳインタフェースにより送受信するＰＨＳ用アンテナ４の電波信号の電界強度をステータス表示することを可能としている。
【００３１】
なお、これらの具体的取り決めに関しては、本実施例に示す場合に限定するものではなく、データ通信中の状態では無効となる信号であれば如何なる信号でも構わなく、被呼表示用のＲＩ信号即ち被呼表示信号用スタータスレジスタ部のみに限るものではない。また、ステータスレジスタ２ｂを用いて、データ通信中の状態において通知するステータスや制御コマンドの情報としても、ＰＨＳ用アンテナ４の電波信号の電界強度である受信レベル表示のみに限るものではなく、例えば、ＣＴＳ信号によるフロー制御のみならず、通信相手先との間でのデータ送受信量を制御するためのウィンドウ幅などに関するフロー制御用に拡大して用いることとするなど応用用途を更に拡大することも可能である。
【００３２】
また、データ通信機１０とＰＣＭＣＩＡインタフェース１を介して接続するデータ端末装置ＤＴＥ（Ｄａｔａ  Ｔｅｒｍｉｎａｌ  Ｅｑｕｉｐｍｅｎｔ）としては、前述の実施例のごときパソコン２０のみに限定されるものではなく、かかるデータ通信機１０とＰＣＭＣＩＡインタフェース１を介して接続することが可能な電子機器であれば、例えば、携帯情報端末ＰＤＡや携帯電話であっても良く、あるいは、家電機器であっても構わない。
【００３３】
【発明の効果】
本発明に係るデータ通信機は、以上説明したように構成されているので、以下のような効果を奏することができる。
即ち、データ端末装置ＤＴＥにＰＣＭＣＩＡインタフェースを介して接続し、ＵＡＲＴからＣＰＵに取り込んだデータをＰＨＳインタフェースにより送信したり、あるいは、逆に、該ＰＨＳインタフェースにより受信したデータを前記ＣＰＵから前記ＵＡＲＴに送出し、ＰＣＭＣＩＡインタフェースを介して前記データ端末装置に送信したりして、ＰＨＳ網経由のデータ通信を行なうデータ通信機において、前記データ通信端末ＤＴＥと当該データ通信機内の前記ＣＰＵとの双方からアクセス可能であり、かつ、前記データ端末装置ＤＴＥと当該データ通信機との双方の複数種類のステータスや制御コマンドをそれぞれ表示することにより互いに相手側に通知し合うことが可能なステータスレジスタを備え、該ステータスレジスタのいずれか１乃至複数種類の前記ステータス又は制御コマンドを示す蓄積内容として、前記ＰＨＳインタフェースにより前記ＵＡＲＴがデータ通信中の状態にあるか否かにより、異なるステータス又は制御コマンドの表示を前記データ端末装置ＤＴＥ又は前記ＣＰＵに対して行なうことを可能としており、データ端末装置ＤＴＥ例えばパソコンのＯＳに備えられている既設のＵＡＲＴ（１６５５０互換）ドライバソフトをそのまま使用しても、該パソコンと当該データ通信機側のＣＰＵとの間で制御コマンドやステータス情報のやり取りを行なうことを可能としている。
【００３４】
もって、データ端末装置ＤＴＥ例えばパソコンの製造コストの上昇を招くことなく、ＰＨＳ網経由のデータ通信中であっても、例えば、当該データ通信機（即ちＰＨＳ一体型通信カード）の状態をデータ端末装置例えばパソコンに対して通知することが可能である。
【００３５】
例えば、前記ステータスレジスタとして、前記ＰＨＳインタフェースからの前記データ端末装置ＤＴＥに対する着信表示を前記データ端末装置ＤＴＥに対して行なう被呼表示信号用レジスタを用い、該被呼表示信号用レジスタの蓄積内容として、前記ＰＨＳインタフェースにより前記ＵＡＲＴがデータ通信中の状態にない場合には、前記ＰＨＳインタフェースからの着信表示を行なう被呼表示用ステータス表示とする一方、データ通信中の状態にある場合には、当該データ通信機の前記ＰＨＳインタフェースにより送受信するＰＨＳ用アンテナの電波信号の電界強度をステータス表示することを、当該データ通信機とデータ端末装置例えばパソコンとの間で予め取り決めることにより、データ端末装置例えばパソコンのＯＳに備えられている既設のＵＡＲＴ（１６５５０互換）ドライバソフトをそのまま使用したとしても、該パソコンのアプリケーションソフトに対して、当該データ通信機のＰＨＳ用アンテナの電波信号の電界強度を認識させることができる。
【図面の簡単な説明】
【図１】本発明に係るデータ通信機の構成の一例を示すブロック構成図である。
【図２】アトリビュートメモリと電界強度ポートとをＵＡＲＴ部に備えている無線カードの従来技術を示すブロック構成図である。
【図３】制御用情報を格納するスクラッチパッドメモリをＵＡＲＴ部に備えているデータ通信機の従来技術を示すブロック構成図である。
【符号の説明】
１…ＰＣＭＣＩＡインタフェース、２，２′，２″…ＵＡＲＴ部、２ａ…ＵＡＲＴ、２ｂ…ステータスレジスタ、２ｃ…アトリビュートメモリ、２ｄ…電界強度ポート、２ｅ…スクラッチパッドメモリ、３，３″…ＰＨＳ部、３ａ…ＣＰＵ、３ｂ…無線部、３ｃ…通信制御ブロック、４，４″…ＰＨＳ用アンテナ、４′…アンテナ、１０，１０″…データ通信機、１０′…無線カード、２０…パソコン。
【図１】
2004159008.tif 000003
【図２】
2004159008.tif 000004
【図３】
2004159008.tif 000005